(57)【特許請求の範囲】
【請求項１】
バーナヘッド上に複数の炎孔を備えるバーナキャップが設けられ、該バーナキャップ上に保護キャップが取り付けられたガスバーナにおいて、
前記バーナキャップは、該バーナキャップの円周方向に所定間隔を存して上方に突出する複数の突起と、該バーナキャップの円周方向に沿って環状に形成され、その径方向に弾性を有して各突起に弾発的に保持された線バネとを備え、
前記突起は、バーナキャップの中央側を向く内側縁又はバーナキャップの外側を向く外側縁で開放し且つ該突起の突出方向に交差して凹入する形状の保持溝を備えて、該保持溝により前記線バネを保持し、
前記保護キャップは、前記バーナキャップを覆う覆板と、該覆板の下方に延設されて各突起に隣接する複数の足部と、該足部の下端部に形成されて前記保持溝に保持された線バネに掛止する掛止爪とを備え、
該掛止爪は、保持溝の開放する方向に向かって突設され、その下縁が基端から先端に向かって上方に傾斜する形状に形成されていることを特徴とするガスバーナ。
【請求項２】
前記保持溝は、前記突起の内側縁で開放されて水平方向に凹入する形状に形成され、
前記線バネは拡径する方向に弾力を有し、水平方向に弾発的に拡径して該保持溝の奥端内縁に圧接状態で保持されることを特徴とする請求項１記載のガスバーナ。
【請求項３】
前記保持溝は、その内部の上部内縁が略水平に形成され、下部内縁が開放側に向かって上部内縁から次第に離間する方向に傾斜する形状に形成されていることを特徴とする請求項１又は２記載のガスバーナ。
【請求項４】
前記掛止爪は、基端から所定範囲の上縁が先端側に向かって下方に傾斜する形状に形成されていることを特徴とする請求項１乃至３の何れか１項記載のガスバーナ。
【請求項５】
複数の前記足部のうちの一対の足部においては、一方の足部が、前記突起におけるバーナキャップの周方向を向く一方の側面に当接し、他方の足部が、他の突起におけるバーナキャップの周方向を向く他方の側面に当接することを特徴とする請求項１乃至４の何れか１項記載のガスバーナ。
【請求項６】
複数の前記突起のうち少なくとも一つは、該突起の上縁で開放し且つ前記保持溝に交差して下方に延びる装着溝を備え、該装着溝に前記足部が装着されていることを特徴とする請求項１乃至５の何れか１項記載のガスバーナ。
【発明の詳細な説明】
【技術分野】
【０００１】
本発明は、ガスコンロに用いられるガスバーナに関する。
【背景技術】
【０００２】
ガスコンロに用いられるバーナは、調理の際にコンロ内部への煮こぼれの侵入を防止するため、バーナキャップの上部を保護キャップによって覆うことが行われている。
【０００３】
この種の保護キャップを備えるガスバーナとして、従来、バーナキャップの上部に円盤状の保護キャップをビス止めしたものが知られている（例えば、特許文献１参照）。しかし、このものにおいては、保護キャップをバーナキャップに連結するために保護キャップの上面からビスを貫通させなければならず、ビスの頭部が保護キャップの上面から突出して外観が悪く、更に、ビスの頭部やその近傍に付着する汚れが取り難く掃除が煩わしい不都合がある。
【０００４】
また、この種のバーナとして、バーナキャップの上部外周縁に係合凹部を形成し、保護キャップの下縁に係合凸部を形成し、この係合凸部に中心方向に弾力的な把持力を持たせてバーナキャップの係合凹部に嵌着したものが知られている（例えば、特許文献２参照）。保護キャップの係合凸部は板状であってその内面方向に湾曲させることによって形成されている。これによれば、保護キャップの上面にビス等の突出がないため掃除がし易く、外観の低下も防止できる。
【０００５】
しかし、保護キャップの係合凸部には弾性を付与する必要があるだけでなく、バーナキャップの係合凹部に高精度に対応させなければならないため、ほうろう等の硬度が高く且つ厚みのある被覆を施すことができない。また、保護キャップの係合凸部を形成する場合には比較的狭い範囲で板状の面方向に湾曲させる加工を施さなければならず、高精度な加工が必要であるためにコストが増加する不都合がある。更に、保護キャップの係合凸部はバーナキャップの係合凹部の外側から弾力的な把持力によって嵌合するので、バーナキャップからの火炎によって熱膨張した場合に把持力が低下して不用意に外れ易くなる不都合がある。
【特許文献１】特開２００３−８３５１２号公報（図３）
【特許文献２】実公平４−３５６８８号公報（第１図及び第３図）
【発明の開示】
【発明が解決しようとする課題】
【０００６】
かかる不都合を解消して、本発明は、バーナキャップへの保護キャップの取り付けが容易でありながら保護キャップが不用意に外れ難く、また、安価に製造できて掃除し易く外観が良好な保護キャップを備えるガスバーナを提供することを目的とする。
【課題を解決するための手段】
【０００７】
かかる目的を達成するために、本発明は、バーナヘッド上に複数の炎孔を備えるバーナキャップが設けられ、該バーナキャップ上に保護キャップが取り付けられたガスバーナにおいて、前記バーナキャップは、該バーナキャップの円周方向に所定間隔を存して上方に突出する複数の突起と、該バーナキャップの円周方向に沿って環状に形成され、その径方向に弾性を有して各突起に弾発的に保持された線バネとを備え、前記突起は、バーナキャップの中央側を向く内側縁又はバーナキャップの外側を向く外側縁で開放し且つ該突起の突出方向に交差して凹入する形状の保持溝を備えて、該保持溝により前記線バネを保持し、前記保護キャップは、前記バーナキャップを覆う覆板と、該覆板の下方に延設されて各突起に隣接する複数の足部と、該足部の下端部に形成されて前記保持溝に保持された線バネに掛止する掛止爪とを備え、該掛止爪は、保持溝の開放する方向に向かって突設され、その下縁が基端から先端に向かって上方に傾斜する形状に形成されていることを特徴とする。
【０００８】
本発明のガスバーナにおいては、バーナキャップ上に保護キャップを取り付けるとき、先ず、保護キャップの足部を、バーナキャップの突起に沿って押し下げる。突起に沿って足部を押し下げると、保持溝に保持されている線バネが、保持溝に保持された状態を維持して足部の掛止爪の下縁に押されて弾発的に掛止爪の先端を乗り越える。このとき、掛止爪の下縁が基端から先端に向かって上方に傾斜しているので、線バネが掛止爪の下縁の傾斜に沿って円滑に案内され、線バネが掛止爪を乗り越える際の抵抗を軽減することができる。そして、線バネが掛止爪を乗り越えると、線バネは掛止爪の上縁側に嵌り込む。これにより、掛止爪が保持溝に保持された線バネに掛止され、足部は突起に隣接した状態で確実に取り付け状態が維持される。
【０００９】
このように、本発明によれば、バーナキャップへの保護キャップの取り付けが極めて容易に行え、しかも、掛止爪が保持溝に保持されている線バネに掛止して、その状態を確実に維持するので、バーナキャップからの保護キャップの不用意な外れを確実に防止することができる。
【００１０】
また、保護キャップの足部は、掛止爪による線バネへの掛止状態が維持できる剛性を最小限に備えていればよく、掛止爪も線バネに掛止できる形状であればよいので、従来のような高い精度が要求されず、保護キャップを極めて容易に製造することができる。更に、足部の掛止爪によって弾性を有する線バネに掛止する構造であるので、足部や掛止爪を弾性を有する材料で形成する必要がなく、安価な材料で保護キャップを形成して、ほうろうによる被覆を施すこともできるので、保護キャップを外観良好で安価に形成することができる。しかも、保護キャップの足部は覆板の下方に突出するので覆板の上面には突出するものもなく平坦とすることができ、覆板上面の掃除が容易に行えて外観を良好に維持することができる。
【００１１】
また、本発明において、前記保持溝は、前記突起の内側縁で開放されて水平方向に凹入する形状に形成され、前記線バネは拡径する方向に弾力を有し、水平方向に弾発的に拡径して該保持溝の奥端内縁に圧接状態で保持されることを特徴とする。即ち、本発明においては、前記保持溝が前記突起の内側縁で開放し、線バネが拡径する方向に弾力を有していることにより、線バネは突起の内側から保持溝に取り付けられる。
【００１２】
ところで、バーナ燃焼時にはバーナキャップが高温となるため、バーナキャップに取り付けられている線バネは、熱の影響により応力の解放や熱膨張に伴う拡径が生じることが考えられる。このとき、本発明においては、線バネが突起の内側から保持溝に取り付けられて保持溝の奥端内縁に圧接状態で保持されるので、線バネに熱による拡径が生じても、保持溝による線バネの保持状態は殆ど変化せず、前記掛止爪との掛止状態を確実に維持することができる。
【００１３】
また、本発明において、前記保持溝は、その内部の上部内縁が略水平に形成され、下部内縁が開放側に向かって上部内縁から次第に離間する方向に傾斜する形状に形成されていることが好ましい。
【００１４】
これによれば、取り付け時に足部を突起に沿って押し下げたとき、足部の掛止爪の下縁に押された線バネが保持溝の下部内縁の傾斜に沿って保持溝の開放側に円滑に案内され、線バネが掛止爪を乗り越えて掛止される際の抵抗を軽減することができる。そして、掛止爪を乗り越えて掛止爪の上縁に掛止された線バネは、保持溝の上部内縁が略水平に形成されていることによって保持溝の上部内縁に規制され、確実な掛止状態を維持して不用意な外れを防止することができる。
【００１５】
また、本発明において、前記掛止爪は、基端から所定範囲の上縁が先端側に向かって下方に傾斜する形状に形成されていることが好ましい。
【００１６】
線バネは、掛止爪の上縁に掛止されたとき、弾性によって掛止爪の基端に圧接する方向に移動しようとする。このとき、掛止爪の基端から所定範囲の上縁が先端側に向かって下方に傾斜していることにより、線バネが掛止爪上縁の傾斜に沿って上昇しようとし、その結果、線バネは掛止爪上縁の傾斜に圧接する。そして、このときの線バネの掛止爪上縁の傾斜への圧接により、足部には掛止爪を介して引き下げ方向に力が付与される。このとき、突起の上縁に覆板の下面が当接していれば、突起と覆板とが強固に密着し、これによって、足部はガタ付きのない状態で突起に隣接し、保護キャップの取り付け状態を強固に維持することができる。
【００１７】
また、本発明による複数の前記足部のうちの一対の足部においては、一方の足部が、前記突起におけるバーナキャップの周方向を向く一方の側面に当接し、他方の足部が、他の突起におけるバーナキャップの周方向を向く他方の側面に当接することが好ましい。
【００１８】
これによれば、一対の足部が、一対の突起（この両突起の間隔が離れていても）によって周方向に挟まれて保護キャップが回転不能とされる。即ち、足部が線バネに掛止された状態で線バネに沿って保護キャップが一方向に回転しようとした場合には、一方の足部が当接する一方の突起により規制され、保護キャップが他方向に回転しようとした場合には、他方の足部が当接する他方の突起により規制されるので、不用意な保護キャップの回転を確実に防止することができる。
【００１９】
また、本発明による複数の前記突起のうち少なくとも一つに、該突起の上縁で開放し且つ前記保持溝に交差して下方に延びる装着溝を設け、該装着溝に前記足部を装着することが好ましい。
【００２０】
これによれば、保護キャップをバーナキャップに取り付けるときには、保護キャップの足部を突起の装着溝に挿入する。装着溝は保持溝に交差して設けられていることにより、線バネは装着溝を横切るようにして保持溝に保持されており、掛止爪は確実に線バネに掛止される。このとき、装着溝に足部を位置合わせして保護キャップを取り付けることができるので、保護キャップを所定の位置に確実に取り付けることができる。しかも、装着溝に挿入された足部は、装着溝によって線バネに沿った周方向の移動が規制されるので、保護キャップの不用意な回転を確実に防止することができる。特に、バーナキャップが点火プラグ等を臨むように外方に張り出す点火用ターゲットを備える場合には、保護キャップにも点火用ターゲットを覆うように張り出す突片が設けられるが、例えば、点火用ターゲットの反対側に位置する突起に装着溝を設けておくだけで、保護キャップの突片と点火用ターゲットとの位置合わせが極めて容易となる。しかも、装着溝によって足部が確実に固定されるので突片と点火用ターゲットとの位置ずれも確実に防止することができる。
【発明を実施するための最良の形態】
【００２１】
本発明の一実施形態を図面に基づいて説明する。図１は本実施形態のガスバーナの構成の一部を示す説明的断面図、図２はバーナキャップの説明的斜視図、図３は保護キャップを下方より臨んで示す斜視図、図４は足部を拡大して示す説明図、図５は保護キャップの取り付け作業時の要部の作動を示す説明図、図６は他の形態の保護キャップを下方より臨んで示す斜視図、図７は図６の保護キャップを採用する他の形態のガスバーナを示す説明的断面図、図８及び図９は他の形態のバーナキャップを示す説明的斜視図である。
【００２２】
本実施形態のガスバーナ１は、図１に示すように、ガス燃料と一次空気との混合ガスを形成する中空の混合部２と、該混合部２に連設されたバーナヘッド３とを備え、バーナヘッド３の上部にはバーナキャップ４が取り付けられており、バーナキャップ４の上部には保護キャップ５が取り付けられている。
【００２３】
前記バーナキャップ４は、図２に示すように、円形に形成されており、その中央部を上下方向に貫通して開放する中央開放部６が形成されている。また、該バーナキャップ４は、詳細には図示しないが、図１に示すように、周方向に複数配設された大小の炎孔７，８を備えている。
【００２４】
該バーナキャップ４の上部には、図２に示すように、周方向に所定間隔を存して複数（本実施形態では３つ）の突起９が形成されている。各突起９は、図１に示すように、バーナキャップ４から上方に突出しており、図２に示すように、拡径方向に弾性を有する円環状の線バネ１０を保持している。なお、各突起９は小炎孔８の上方位置に形成されている。
【００２５】
また、図１及び図２に示すように、バーナキャップ４の周縁の一部には、外側に張り出す点火用ターゲット１１が形成されている。該点火用ターゲット１１は、図１に示すように、バーナヘッド３の近傍に設けられた点火プラグ１２に臨み、点火プラグ１２による点火のための火花放電を形成する。
【００２６】
点火用ターゲット１１の反対側に位置する一つの突起９には、図２に示すように、装着溝１３と保持溝１４とが形成されている。装着溝１３は、突起９の上縁で開放されて下方に延び、且つ、突起９の内側縁から外側縁にわたって形成されている。装着溝１３によって、突起９は互いに対向して起立する一対の壁体となる。
【００２７】
保持溝１４は、点火用ターゲット１１の反対側に位置する突起９だけでなくそれ以外の全ての突起９に設けられている。点火用ターゲット１１の反対側に位置する一つの突起９に形成された保持溝１４は、突起９におけるバーナキャップ４の中央側を向く内側縁で開放されて前記装着溝１３に交差する方向に凹入する形状（突起の突出方向に交差して凹入する形状）に形成されており、前記線バネ１０の一部を収容して保持する。他の突起９に設けられた保持溝１４も同様の形状（突起の突出方向に交差して凹入する形状）に形成されている。点火用ターゲット１１の反対側に位置する一つの突起９に設けられている保持溝１４に保持された線バネ１０は、装着溝１３を横切った状態となる。なお、本実施形態においては３つの突起９が設けられており、各突起９に同一形状の保持溝１４が形成されているので、図２に示すように、線バネ１０は各突起９によって３箇所で支持された状態となる。
【００２８】
また、保持溝１４が突起９の内側縁で開放されていることにより、線バネ１０は突起９の内側から保持溝１４内に装着される。そして、図２に示すように、保持溝１４に装着された線バネ１０は拡径方向に弾性を有することによって保持溝１４の奥端内縁１４ａに圧接し、その圧接状態を弾性によって維持して保持溝１４に保持される。また、保持溝１４は、上部内縁１４ｂが略水平に形成され、下部内縁１４ｃが開放側に向かって上部内縁１４ｂから離間する方向に傾斜して形成されている。
【００２９】
前記線バネ１０は、図２に示すように、不連続の円環状、即ち略Ｃ字形状であり、前述したように拡径方向に弾性を有する。また、線バネ１０の不連続部分を形成している一端部と他端部とには、中心に向かって延びる一対の内方延出部１０ａが形成され、更に、両内方延出部１０ａの先端から下方に延びる下方延出部１０ｂが形成されている。線バネ１０を前記バーナキャップ４に取り付けたときには、両内方延出部１０ａは、バーナキャップ４の中央開放部６に向かって延出する。そして、線バネ１０をバーナキャップ４の各突起９に取り付けるときや、メンテナンス時に各突起９から線バネ１０を取り外すときに、両内方延出部１０ａの先端の下方延出部１０ｂをつまんで弾性力に抗して線バネ１０を容易に縮径できるようになっている。
【００３０】
前記保護キャップ５は、図１及び図３に示すように、バーナキャップ４の上方を覆う円盤状の覆板１５と、覆板１５の下面に固定された板状の連結基部１６と、連結基部１６に連設されて覆板１５の下方に延びる足部１７とを備え、全体がほうろうにより被覆されている。なお、図中符号１８で示すものは、ほうろう被覆を施す際に保持するための作業用保持片である。
【００３１】
覆板１５は、図１に示すように、上面が平坦に形成されており、下面が連結基部１６を介してバーナキャップ４の各突起９の上縁に当接する。また、覆板１５には、外周縁の一部から外側に張り出す舌状突片１９が形成されている。該舌状突片１９は、図１に示すように、点火用ターゲット１１及び点火プラグ１２の上方を覆う。
【００３２】
連結基部１６は、図３に示すように、覆板１５の下面にスポット溶接により連結固定されており、前記バーナキャップ４の各突起９に対応する位置で一部を切り起こすことによって複数（３つ）の足部１７を形成している。足部１７は、連結基部１６の一部を切り起こすだけで形成することができるので、その製造が極めて容易である。
【００３３】
そして、詳しくは後述するが、図１に示すように、舌状突片１９の反対側に位置する足部１７は、点火用ターゲット１１の反対側に位置する突起９の装着溝１３に挿入され、他の一対の足部１７は、他の一対の突起９に隣接される。
【００３４】
足部１７は、覆板１５に固定された連結基部１６を介して覆板１５の下方に延び、図４に示すように、その下端部に掛止爪２０が形成されている。該掛止爪２０は、足部１７の下端部から内方に向かって突出し、この突出方向は、図１に示すように、保持溝１４の開放する方向とされている。
【００３５】
足部１７の掛止爪２０は、図４に示すように、その下縁２０ａが基端２０ｂから先端２０ｃに向かって上方に傾斜する形状とされている。また、掛止爪２０の上縁２０ｄには、その基端２０ｂから所定範囲Ｌにわたって先端２０ｃ側に向かって下方に傾斜する基端傾斜部２０ｅが形成されている。本実施形態においては、基端傾斜部２０ｅが形成される範囲Ｌは、基端２０ｂから先端２０ｃと基端２０ｂとの中央までの間に設けられている。また、掛止爪２０の上縁２０ｄのうち、基端傾斜部２０ｅ以外の部分は、図４において実線示するように水平とするか、又は、図４において仮想線示するように先端２０ｃに向かって上方に傾斜するように形成する。
【００３６】
次に、保護キャップ５をバーナキャップ４に取り付ける際の足部１７及び線バネ１０の作動を説明する。先ず、点火用ターゲット１１の反対側に位置する突起９への足部１７の掛止について説明すれば、図５（ａ）に示すように、足部１７を装着溝１３に上方から挿入すると、図５（ｂ）に示すように、装着溝１３を横切って保持溝１４に保持されている線バネ１０が、掛止爪２０の傾斜する下縁２０ａに押され、且つ、保持溝１４の下部内縁１４ｃの傾斜に案内されて、殆ど抵抗なく弾発的に掛止爪２０の先端２０ｃを乗り越える。そして、線バネ１０が掛止爪２０の先端２０ｃを乗り越えると、図５（ｃ）に示すように、線バネ１０は掛止爪２０の上縁２０ｄの基端２０ｂに嵌り込む。このとき、線バネ１０は、その拡径方向への弾性によって掛止爪２０の基端２０ｂに圧接しようとした結果、掛止爪２０の上縁２０ｄの基端傾斜部２０ｅを介して下方に押し下げる力を発生させ、足部１７を装着溝１３の下方に向かって付勢する。これによって、掛止爪２０が線バネ１０を掛止して不用意な外れが防止されるだけでなく、足部１７がガタ付きのない状態で装着溝１３に保持され、保護キャップ５の取り付け状態が極めて強固に維持される。そして、ガスバーナ１の燃焼時にバーナキャップ４が高温となって、その熱の影響で線バネ１０に応力解放や熱膨張が生じても、拡径方向に弾性を有する線バネ１０が突起９の内側から保持溝１４内に装着されていることにより、線バネ１０の応力解放や熱膨張に伴う弾性低下の影響を殆ど受けることが無く、掛止爪２０と線バネ１０との強固な掛止状態を確実に維持することができる。また、足部１７が装着溝１３に装着されることにより、線バネ１０の周方向に沿った保護キャップ５の回転が防止される。しかも、舌状突片１９の反対側に位置する足部１７を、点火用ターゲット１１の反対側に位置する突起９の装着溝１３に挿入することにより、舌状突片１９と点火用ターゲット１１との位置合せが容易に行え、保護キャップ５を所定の位置に確実に取り付けることができる。
【００３７】
他の一対の足部１７、即ち図３において舌状突片１９の両側に位置する一対の足部１７も同様にして線バネ１０に掛止されるが、このとき、一方の足部１７は、装着溝１３を備えない一方の突起９、即ち図２において点火用ターゲット１１の両側に位置する一方の突起９の周方向を向く一方の側面９ａに当接した状態となり、他方の足部１７は、装着溝１３を備えない他方の突起９の他方の側面９ｂに当接した状態となる。これによって、舌状突片１９の両側に位置する一対の足部１７は点火用ターゲット１１の両側に位置する一対の突起９によって挟まれた状態となり、線バネ１０の周方向に沿った保護キャップ５の回転が防止される。
【００３８】
以上のようにしてバーナキャップ４に取り付けられた保護キャップ５は、その上面に突起がなく上面を平坦に形成できるから、掃除がし易く、外観も良好である。また、バーナキャップ４の各突起９間には比較的広い範囲にわたって間隙が形成されるので、バーナキャップ４の中央開放部６を経て上昇する二次空気をバーナキャップ４の各炎孔７，８に向かって良好に供給することができる。ところで、突起９が形成されている部分においては二次空気の流動が僅かに阻害されることが考えられるが、突起９を無炎孔部分に対応する上部、又は、図１に示す本実施形態で採用したように各突起９を小炎孔８に対応する上部に設けることで、二次空気の流動に係る各突起９による影響が防止でき、良好な燃焼を得ることができる。
【００３９】
なお、本実施形態のガスバーナ１においては、バーナキャップ４の上部全体を覆う覆板１５を備える保護キャップ５を採用したが、それ以外に、図６に示すように、を、バーナキャップ４の中央開放部６に対応する位置に開口部２１を形成した覆板２２を設けて保護キャップ２３を構成してもよい。この保護キャップ２３は、図７に示すように、バーナキャップ４の中央開放部６を経て上方に突出する温度センサ２４を備えたガスバーナ２５に好適に採用することができる。
【００４０】
また、本実施形態においては、最も好ましい例として拡径方向に弾性を有する線バネ１０が突起９の内側から保持溝１４内に装着されているものを示したが、それに限るものではなく、図示しないが、保持溝１４を突起９の外側縁で解放するように形成し、縮径方向に弾性を有する線バネ１０を保持溝１４に保持させ、足部１７の掛止爪２０を外側に向けて突出させたものを採用することもできる。
【００４１】
また、突起９の他の形態を挙げれば、図８に示すように、点火用ターゲット１１の両側に位置する突起９と同様に、点火用ターゲット１１の反対側に位置する突起９に装着溝１３を設けなくてもよい。この場合にも、前述したように、何れか一つの足部１７を突起９の一方の側面９ａに当接させ、他の少なくとも一つの足部１７を他方の突起９の他方の側面９ｂに当接させることで、保護キャップ５の回転を防止することができる。
【００４２】
また、それ以外に、突起９の他の形態を挙げれば、図９に示すように、全ての突起９に装着溝１３を設け、各装着溝１３の夫々に足部１７を装着するようにしてもよい。これによれば、各装着溝１３によって足部１７を確実に保持して掛止爪２０と線バネ１０との掛止状態を一層強固に維持することができるだけでなく、保護キャップ５の回転も確実に防止することができる。
【００４３】
また、本実施形態においては、図２に示すように、一部不連続とされた略Ｃ字形状の線バネ１０を採用したが、それ以外の線バネとしては、図示しないが、一部不連続の環状であって不連続部分が重なり合った状態で外径が弾発的に拡縮自在となるものや、連続する環状であって径方向に弾発的に撓むものを採用することができる。或いは、その他、連続する環状であって一部を外側又は内側に屈曲させて凸形に突出し、この突出する部分で撓むことで外径が拡縮自在となる線バネであっても採用することができる。更にまた、本実施形態においては、断面視円形状の線バネ１０を採用したが、線バネの断面視形状は円形に限るものではなく断面視多角形状であってもよい。
【図面の簡単な説明】
【００４４】
【図１】本発明の一実施形態のガスバーナの構成の一部を示す説明的断面図。
【図２】バーナキャップの説明的斜視図。
【図３】保護キャップを下方より臨んで示す斜視図。
【図４】足部を拡大して示す説明図。
【図５】保護キャップの取り付け作業時の要部の作動を示す説明図。
【図６】他の形態の保護キャップを下方より臨んで示す斜視図。
【図７】図６の保護キャップを採用する他の形態のガスバーナを示す説明的断面図。
【図８】他の形態のバーナキャップを示す説明的斜視図。
【図９】他の形態のバーナキャップを示す説明的斜視図。
【符号の説明】
【００４５】
１，２５…ガスバーナ、３…バーナヘッド、４…バーナキャップ、５…保護キャップ、７，８…炎孔、９…突起、１０…線バネ、１３…装着溝、１４…保持溝、１４ａ…奥端内縁、１４ｂ…上部内縁、１４ｃ…下部内縁、１５…覆板、１７…足部、２０…掛止爪、２０ａ…下縁、２０ｄ…上縁、Ｌ…所定範囲。
【図１】
0004641278.tif 000002
【図２】
0004641278.tif 000003
【図３】
0004641278.tif 000004
【図４】
0004641278.tif 000005
【図５】
0004641278.tif 000006
【図６】
0004641278.tif 000007
【図７】
0004641278.tif 000008
【図８】
0004641278.tif 000009
【図９】
0004641278.tif 000010